(57)【要約】【課題】通信装置のランプ表示では、装置状態の表示内容が単一の情報に限られていた。【解決手段】  情報処理装置内部に周期と０１比を設定可能なパルス波形の発生器を有し、同装置の出力するパルス波形によりランプ表示の内容を切り替える機構と切替パルスの状態を示すランプを装置外部に有する。  ランプ表示される装置内部のイベントはパルス回路で選択される前に、非表示期間でのイベントを表示可能なようにパルス伸張を行う。  パルス発生器の周期および０１比は管理プロセッサにより設定可能であり、同プロセッサはＳＮＭＰなどの通信プロトコルによる外部の管理装置から動作指示が可能とする。  以上の手段を用いて、本発明では多様なランプ表示、保守作業での作業位置指示、人間の視覚を越えたビデオでの監視形態を提供可能とする。【選択図】  図１
2008252430.tif 000002
【特許請求の範囲】
【請求項１】
ランプ表示により装置の状態を表す通信装置であって、
第１のパルス信号を出力するパルス発生回路と、
前記第１のパルス信号の状態を示す第１のランプと、
前記装置の状態を示す第２のランプと、
前記第１のパルス信号の状態に応じて前記第２のランプに表示させる装置の状態を選択する表示選択回路とを有する。
【請求項２】
請求項１記載の通信装置であって、更に
前記装置の第１の状態を保持する第１の保持部と、
前記装置の第２の状態を保持する第２の保持部とを有し、
前記第１および第２の保持部は、前記第１および第２の状態を示す第２および第３のパルス信号を出力し、
前記表示選択回路は、前記第２および第３のパルス信号を選択することで、前記第２のランプに表示させる装置の状態を選択することを特徴とする。
【請求項３】
請求項２記載の通信装置であって、更に
前記第２のパルス信号を伸張する第１の伸張回路と、
前記第３のパルス信号を伸張する第２の伸張回路とを有することを特徴とする。
【請求項４】
請求項３記載の通信装置であって、
前記第１の状態は、前記通信装置が送受信するパケットのトラフィックイベントを含むことを特徴とする。
【請求項５】
請求項３記載の通信装置であって、
前記第２の状態は、前記通信装置の内部バッファのあふれイベントを含むことを特徴とする。
【請求項６】
請求項１記載の通信装置であって、更に
前記第１のパルス信号の周期、又は、前記周期における０出力と１出力との比率を設定する制御部を有することを特徴とする。
【請求項７】
請求項６記載の通信装置であって、
前記制御部は前記第１または第２の保持部から出力する前記第２または第３のパルス信号を任意に設定することを特徴とする。
【発明の詳細な説明】
【技術分野】
【０００１】
本発明は、ランプ表示が多様に行える通信装置に関し、更に同機能により保守および遠隔での状態監視に有益な方式を提供する。
【背景技術】
【０００２】
従来、通信装置を代表とする情報処理装置において、通信状態などを示すランプ表示があり、実際の通信路のトラフィック（送信パケット、受信パケット）のイベントに関連して点灯する方式が一般的であった。この方式では、ランプで表示できる情報は通信トラフィックなど一意に固定され、人間が目視による監視を行うことがその主な利用方法であった。
【０００３】
近年、通信路のトラフィックだけでなく、装置内部のバッファあふれなどの情報を表示する要求や、保守者とセンタ監視者との間で保守対象を示すことによるコミュニケーション手段の提供など、従来の目視での監視以外に通信装置が備えるべきランプ表示機能に対する要求は年々多様化している。
【０００４】
一方、人間の視覚は非特許文献によると、５０〜６０Ｈｚ以下での変化は識別できないことが知られている。従って、通信装置が備えるランプが５０〜６０Ｈｚの周期で点滅した場合、人間の視覚ではその変化を認識することができない。
【０００５】
【非特許文献１】塩田  和也  他「視覚特性を利用した画像型ディジタルコンテンツの不正防止」  情報処理学会論文誌２００５年８月Vol.46 No.8
【非特許文献２】大山  正  他  「新編感覚知覚心理学ハンドブック」誠信書房  (1994)
【発明の開示】
【発明が解決しようとする課題】
【０００６】
通信装置を代表とする情報処理装置では、動作状態を示すランプが装置正面に具備されるのが一般的である。その動作は目視での監視を対象としているので人間が認知できる表示方法に制約されてしまう。
【０００７】
また、遠隔で作業対象の装置部位を指定するの方法としては電話などの通信手段での指示で行う場合がほとんどであり、装置自身が表示するには専用の支持ランプなどの方法をとらなければならなかった。
【０００８】
遠隔監視においては装置と監視装置との間をＳＮＭＰなどのプロトコルに基づく通信手段で、装置内部の発生イベントを監視する方法もあるが、装置との通信が絶たれた場合においては人間が現地に赴くかそれに代わるビデオでの監視を行う。その場合でも従来の目視では装置内部の発生イベントまでは確認できず、装置状態の表示内容が単一の情報に限られていた。
【課題を解決するための手段】
【０００９】
上記課題を解決するために、本発明においては、ランプ表示により装置の状態を表す装置であって、第１の方形波信号を出力するパルス発生回路と、前記第１の方形波信号の状態を表示する第１のランプと、前記装置の状態を表示する第２のランプと、前記方形波信号の状態に応じて前記第２のランプに表示させる装置の状態を選択する表示選択回路とを有する装置を提供する。
【発明の効果】
【００１０】
情報処理装置のランプ表示において、表示内容をパルス周期で切り替える機構を具備することで、従来単一の情報表示しか出来なかったが、多様な情報を表示することができ、保守作業での作業対象指示や人間での監視とビデオカメラでの監視を多様に行うことが可能となる。本発明は、多様化する通信装置のランプ表示機能への要求を実現するものであり、同機能を使った応用に適用する。
【発明を実施するための最良の形態】
【００１１】
以下、本発明の一実施形態について図面を用いて説明する。
【００１２】
図１は本実施形態における通信装置１の装置構成を示した図である。通信装置１は、パルス発生回路１０、切替信号状態ランプＩＮＤ２０、回線部３０、表示切替信号４０、パルス指示パラメータ５０、管理プロセッサ６０、内部バッファ７０から構成される。
【００１３】
パルス発生回路１０は、パルス指示パラメータ５０に設定される周期Ｔと０１比Ｒの値に応じたパルス信号を発生させることで、３つの動作を行う。３つの動作とは、常に０出力、常に１出力、周期ＴでＲの割合で０と１の方形波出力、のいずれかを表示切替信号４０として出力する。
【００１４】
表示切替信号４０は切替信号状態ランプＩＮＤ２０によって０：消灯、１：点灯で状態を外部に表示される。例えば、図３のＩＮＤ表示３２０（ＩＮＤ表示３２０は、切替信号状態ランプＩＮＤ２０の消灯および点灯の状態遷移を示す。）に示すように、表示切替信号４０が０出力の場合は切替信号状態ランプＩＮＤ２０は消灯し、１出力の場合は点灯することになる。図３の場合は、表示切替信号４０は周期Ｔで０出力と１出力がａ：ｂの割合で出力される。従って、切替信号状態ランプＩＮＤ２０は周期Ｔでａ：ｂの割合で消灯と点灯を繰り返す。このａ：ｂの割合のことを０１比Ｒと呼び、Ｒ＝（ａ／ａ＋ｂ）で表す。
【００１５】
また表示切替信号４０は複数ある回線部３０に配布される。回線部３０は、回線部状態表示ランプ３１、回線コネクタ３２、インターフェース回路３３、内部イベント保持部３４、パルス伸張回路３５および３６、表示選択回路３７で構成される。
【００１６】
回線部状態表示ランプ３１は、表示切替信号４０が０出力である場合には、インタフェース回路３３の状態をランプ表示する。インタフェース回路３３の状態とは回線コネクタ３２を介したパケットの受信イベントあるいは送信イベントのトラフィック状況がその代表的な状態である。一方、表示切替信号４０が１出力である場合には、回線部状態表示ランプ３１は内部イベント保持部３４の情報をランプ表示する。内部イベント保持部３４の情報とは、送受信するパケットを一時的に格納する内部バッファ７０のあふれ発生イベントがその代表的な情報である。
【００１７】
回線部３０内部では表示切替信号４０をもとにインタフェース回路３３の状態と内部イベント保持部３４の情報を表示選択回路３７で選択する。具体的には、表示選択回路３７では、パルス発生回路１０が発生するパルス信号（表示切替信号４０）が０出力の時はインタフェース回路３３が発生させるインタフェース回路３３の状態を表すパルス信号を選択し回線部状態表示ランプ３１に表示させるようにし、一方、パルス発生回路１０が発生するパルス信号（表示切替信号４０）が１出力の時は内部イベント保持部３４が発生させる内部イベント保持部３４の情報を表すパルス信号を選択し回線部状態表示ランプ３１に表示させるようにする。
【００１８】
しかし、インタフェース回路３３および内部イベント保持部３４が発生させるパルス信号の非表示期間にイベントが発生するとその状態が回線部状態表示ランプ３１に表示されない。具体的には、表示切替信号４０が０出力の時は表示選択回路３７はインタフェース回路３３が発生させるパルス信号を選択し、回線部状態表示ランプ３１に表示させるため、内部イベント保持部３４が内部バッファ７０のあふれ発生イベントを検知して、パルス信号を発生させたとしても回線部状態表示ランプ３１に表示させることができない。逆に、表示切替信号４０が１出力の時は表示選択回路３７は内部イベント保持部３４が発生させるパルス信号を選択し、回線部状態表示ランプ３１に表示させるため、インタフェース回路３３が回線コネクタ３２を介してパケット送受信のイベントを検知し、パルス信号を発生させたとしても回線部状態表示ランプ３１に表示させることができない。
【００１９】
したがって、本実施形態における回線部３４では、パルス伸張回路３５、３６を具備し、パルス伸張回路３５、３６が十分な期間をパルス伸張することで、各々のパルス信号の非表示期間に発生したイベントでも外部に表示可能とする構成とした。
【００２０】
管理プロセッサ５０（制御部とも言う）は装置を管理するプロセッサでありソフトウエアにてプログラムされる。管理プロセッサ５０はパルス指示パラメータ５０および内部イベント保持部３４の状態を制御する。従って、管理プロセッサによって、ユーザが表示切替信号４０の周期Ｔと０１比Ｒを任意に設定することができる。また、管理プロセッサ５０は内部バッファ７０の状態（例えばあふれ発生イベントなど）を内部イベント保持部３４に通知する制御も行える。
【００２１】
図２は、本実施形態における通信装置１の外観図である。切替信号状態ランプＩＮＤ２０は表示切替信号４０の状態を示すランプであり、３２Ａ〜３２Ｄは各回線部３０にある回線コネクタである。３１Ａ〜３１Ｄは各回線部の状態を表示する回線部状態表示ランプ３１である。本実施形態における通信装置１では、この切替信号状態ランプＩＮＤ２０と回線部状態表示ランプ３１Ａ〜３１Ｄの消灯・点灯状態を見ることで、装置の監視を行うことができる。例えば、切替信号状態ランプＩＮＤ２０が消灯中（表示切替信号４０が０出力中）に回線部状態表示ランプ３１Ａが点灯すれば、回線コネクタ３２Ａを介してパケットの送受信イベントが発生したことを確認できる。一方、切替信号状態ランプＩＮＤ２０が点灯中（表示切替信号４０が１出力中）に回線部状態表示ランプ３１Ａが点灯すれば、対応する回線部３０の内部イベント保持部３４で内部バッファ７０のあふれ発生イベントを検知したことを確認できる。
【００２２】
これにより、通信装置１を監視するユーザは回線部状態表示ランプ３１の点灯が、パケットの送受信イベントの発生を表すのか、内部バッファ７０のあふれ発生イベントを表すのかを判断することが可能になる。また、回線部状態表示ランプ３１の点灯が人間に認知できない程に瞬間的なものであっても、ビデオカメラ等で撮影しておき、切替信号状態ランプＩＮＤ２０と回線部状態表示ランプ３１の点灯状態を確認することで上記判断を行うことが可能になる。
【００２３】
図３〜図７は、表示切替信号４０をさまざま条件で使用する場合のタイムチャートである。条件となる周期Ｔおよび０１比Ｒは、管理プロセッサ６０によってパルス指示パラメータ５０を変更することによって任意に設定することができる。
【００２４】
図３は、０１比Ｒを０＜Ｒ＜１の条件で使用する場合のタイムチャートである。この場合、表示切替信号４０は周期Ｔで０出力と１出力がａ：ｂの割合で出力される。従って、切替信号状態ランプＩＮＤ２０は周期Ｔでａ：ｂの割合で消灯と点灯を繰り返す。（ＩＮＤ表示３２０は、切替信号状態ランプＩＮＤ２０の消灯および点灯の状態遷移を示す。）
送受信イベント３３３はインタフェース回路３３が回線コネクタ３２を介してパケットの送受信イベントを検知した場合に出力するパルス信号であり、送受信イベント３３３１は、パルス伸張回路３６によって伸張され伸張パルス３３６１となる。同様に、内部イベント３３４は内部イベント保持部３４が内部バッファ７０のあふれ発生イベントを検知した場合に出力するパルス信号であり、内部イベント３３４１は、パルス伸張回路３５によって伸張され伸張パルス３３５１となる。他の送受信イベントや内部イベントも同様にパルス伸張回路３６，３５によって伸張される。
【００２５】
表示選択回路３７は、表示切替信号４０が０出力であるか、１出力であるかによって回線部状態表示ランプ３１に表示させる入力パルス信号を切り替えるため、表示切替信号４０が０出力時（切替信号状態ランプＩＮＤ２０が消灯時）には送受信イベント３３３１の伸張パルス３３６１を入力パルス信号とし、ＬＥＤ表示３３３１として回線部状態表示ランプ３１を点灯させ、表示切替信号４０が１出力時（切替信号状態ランプＩＮＤ２０が点灯時）には内部イベント３３４１の伸張パルス３３５１を入力パルス信号とし、ＬＥＤ表示３３１２として回線部状態表示ランプ３１を点灯させる。（ＬＥＤ表示３３１は、回線部状態表示ランプ３１の消灯および点灯の状態遷移を示す。）
また、例えば、内部イベント３３４２のように内部イベントパルスの非表示期間（表示切替信号４０の０出力中）に検知し出力された内部イベントパルス信号であっても、パルス伸張回路３５によって伸張される（３３５２）ことで、内部イベントパルスの表示期間（表示切替信号４０の１出力中）にＬＥＤ表示３３１３として回線部状態表示ランプ３１を点灯させることができる。
【００２６】
これにより、回線状態表示ランプ３１で複数の情報を区別して表示することが可能になり、更に各イベントパルスの非表示期間に発生したイベントもパルス信号を伸張することで回線状態表示ランプ３１に表示させることができる。
【００２７】
以上、図３にて説明した内容は図４〜図７においても同じであるため、重複する説明は以下では行わない。
【００２８】
図４は０１比ＲをＲ＝１、つまり常にインタフェース回路３３の状態を表示する場合のタイムチャートである。この場合は、常に表示切替信号４０が０出力され、表示選択回路３７は送受信イベントの伸張パルスを入力パルス信号として選択するため、例えば、送受信イベント４３３１が伸張され伸張パルス４３６１となればそのままＬＥＤ表示４３１１として回線部状態表示ランプ３１に点灯される。一方、内部イベントパルスは伸張されたとしても回線部状態表示ランプ３１を点灯されることはない。
【００２９】
図５は０１比ＲをＲ＝０、つまり常に内部イベント保持部３４の状態を表示する場合のタイムチャートである。この場合は、常に表示切替信号４０が１出力され、表示選択回路３７は内部イベントの伸張パルスを入力パルス信号として選択するため、例えば、内部イベント５３４１が伸張され伸張パルス５３５１となればそのままＬＥＤ表示５３１１として回線部状態表示ランプ３１に点灯される。一方、送受信イベントパルスは伸張されたとしても回線部状態表示ランプ３１を点灯されることはない。
【００３０】
図６は非常に１に近い０１比Ｒを選択し、人間の視覚では識別不能な短時間で内部イベントの状態表示を行うタイムチャートである。この場合は、送受信イベントのＬＥＤ表示６３１１は人間により認識可能であるが、内部イベントのＬＥＤ表示６３１２は人間により認識不可能となる。従って、例えば送受信イベントに関しては人間の目視による監視を行い、内部イベントに関してはビデオカメラ撮影により監視しておき、必要に応じて監視結果を確認するという運用が考えられる。
【００３１】
図７は図５と同じく０１比Ｒ＝０として、管理プロセッサで設定する内部イベントの状態を表示する動作のタイムチャートである。これは例えば図１０に示すように、保守対象の通信装置１とネットワークを介して通信装置１を遠隔操作可能な管理装置１００が接続されている環境において、管理装置１００から通信装置１の管理プロセッサ６０を通じてパルス指示パラメータの周期Ｔおよび０１比Ｒを設定することで常に表示切替信号４０が１出力となるように制御し、更に内部イベント保持部３４の状態を任意に制御することで特定の回線部３０の内部イベント保持部３４から強制的に内部イベントパルスを出力させることを想定している。周期および０１比は管理プロセッサにより設定可能であり、管理プロセッサはＳＮＭＰなどの通信プロトコルにより遠隔の管理装置１００より周期および０１比を指定可能とする。これにより意図的に特定の回線部状態表示ランプ３１を点灯させることが可能となり、例えば保守者とセンタ監視者との間で保守対象の回線を示すことによるコミュニケーション手段を提供することができる。
【００３２】
図８は、本実施形態における通信装置１をビデオカメラで監視する形態を示す図である。ビデオカメラは一般的に１／３０秒に１フレームのレートで画像を撮影する。パルス発生回路１０のパルスパラメータの周期Ｔを１／３０秒の整数倍とするとビデオカメラでは、切替信号状態ランプＩＮＤ２０と同時に回線部状態表示ランプ３１の状態が撮影される。これにより、回線部状態表示ランプ３１の点灯が人間に認知できない程に瞬間的なものであっても、ビデオカメラ等で撮影しておき、切替信号状態ランプＩＮＤ２０と回線部状態表示ランプ３１の点灯状態を確認することで回線部状態表示ランプ３１の点灯が示す内容が判断可能になる。
【００３３】
図９は時間軸で、ビデオカメラのフレーム信号の状態を模式的に示した図である。図９の上段は、表示切替信号４０の０出力、１出力が交互にきりかわる状態を示している。図９の中段は切替信号状態ランプＩＮＤ２０の状態により０出力のフレームのみを抽出した図であり、図９の下段は切替信号状態ランプＩＮＤ２０の状態により１出力のフレームのみを抽出した図である。近年ビデオ信号はパソコンなどに取り込んで画像処理が比較的容易に行えるので、このような切替信号状態ランプＩＮＤ２０の状態による抽出、あるいは偶数フレームと奇数フレームの分離などを行うことで、装置の動作状態の表示を読み取ることが出来る。
【００３４】
このように、遠隔監視の場合などでビデオカメラで装置を撮影した場合、パルス信号の状態を表示する切替信号状態ランプＩＮＤ２０とともに装置を撮影すると、ビデオカメラでは１／３０秒毎の画像フレームとして分析が可能であり、ＩＮＤランプの点灯したフレームのみを連結する処理を行うことで、人間の肉眼と別の情報を監視することが可能である。
【００３５】
また、図６のように人間が認知できない短期間であってもビデオカメラの撮影フレーム間隔に合致する条件で監視する上では、人間には通常の表示と同じ情報を現地で読み取ることが出来、ビデオで監視するものにはさらに追加の情報が監視可能である。
【００３６】
なお、本実施形態では、表示切替を２つからひとつを選択する例であり、切替信号状態ランプＩＮＤ２０の点灯・消灯で状態を表示したが、複数からひとつを選択する実施例も可能でありその場合はＩＮＤランプはカラーで複数色で示すことや、あるいは数字表示を行うことで同様の効果をなすことができる。
【図面の簡単な説明】
【００３７】
【図１】本実施形態における通信装置１の装置構成を示した図である。
【図２】本実施形態における通信装置１の外観図である。
【図３】０１比Ｒを０＜Ｒ＜１の条件で使用する場合のタイムチャートである。
【図４】０１比ＲをＲ＝１の条件で使用する場合のタイムチャートである。
【図５】０１比ＲをＲ＝０の条件で使用する場合のタイムチャートである。
【図６】０１比Ｒを非常に１に近い値として使用する場合のタイムチャートである。
【図７】０１比ＲをＲ＝０の条件で使用する場合のタイムチャートである。
【図８】本実施形態における通信装置１をビデオカメラで監視する形態を示す図である。
【図９】時間軸で、ビデオカメラのフレーム信号の状態を模式的に示した図である。
【図１０】本実施形態における通信装置１と管理装置１００の構成図である。
【符号の説明】
【００３８】
１：通信装置、１０：パルス信号発生回路、２０：切替信号状態ランプＩＮＤ、
３０：回線部、３１：回線部状態表示ランプ、３２：回線コネクタ、３３：インターフェース回路、３４：内部イベント保持部、３５、３６：パルス伸張回路、３７：表示選択回路、４０：表示切替信号、５０：パルス指定パラメータ、６０：管理プロセッサ、７０：内部バッファ
【図１】
2008252430.tif 000003
【図２】
2008252430.tif 000004
【図３】
2008252430.tif 000005
【図４】
2008252430.tif 000006
【図５】
2008252430.tif 000007
【図６】
2008252430.tif 000008
【図７】
2008252430.tif 000009
【図８】
2008252430.tif 000010
【図９】
2008252430.tif 000011
【図１０】
2008252430.tif 000012